(57)【要約】      （修正有）【課題】理容、美容等において、顧客が着用する衣服の襟等を、薬剤等によって汚すことを防止する汚れ防止用襟カバーの提供。【解決手段】所要の襟カバー素材を用い、所要の外形縁と横基準線と縦基準線により上下及び左右に対称の横長弧状の開口を有する内形縁とから形成される展開裁断片を裁断し、その展開裁断片を、前記横基準線を中心に二つ折りして重ね合わせ、その上縁側における横長弧状の開口を有する内形縁の内側を適宜固着手段に弧状に固着して開口を閉鎖し、全体を反対面側に裏返し、全体の形を整えてなる汚れ防止用襟カバー。【選択図】図２
0003118241.tif 000002
【実用新案登録請求の範囲】
【請求項１】
所要の襟カバー素材を用い、所要の外形縁と横基準線と縦基準線により上下及び左右に対称の横長弧状の開口を有する内形縁とから形成される展開裁断片を裁断し、その展開裁断片を、前記横基準線を中心に二つ折りして重ね合わせ、その上縁側における横長弧状の開口を有する内形縁の内側を縫糸若しくは適宜固着手段に弧状に固着して開口を閉鎖し、全体を反対面側に裏返し、全体の形を整えてなる汚れ防止用襟カバー。
【請求項２】
前記裁断時に、外形縁と縦基準線と交差する外形縁の中央部分に中央目印を設けてなる請求項１の汚れ防止用襟カバー。
【請求項３】
外形縁の中央部分に設けた中央目印に対して、その内側に縫糸若しくはその他の補強手段により裂目防止ラインを設けてなる請求項２の汚れ防止用襟カバー。
【請求項４】
展開裁断片の外形縁を外形ジグザグ縁としてなる請求項２又は請求項３の汚れ防止用襟カバー。
【請求項５】
横長弧状の開口を有する内形縁を内形ジグザグ縁としてなる請求項２、請求項３又は請求項４の汚れ防止用襟カバー。
【考案の詳細な説明】
【技術分野】
【０００１】
本考案は、理容、美容、エステサロン等において、顧客が着用する衣服の襟等を、水、薬剤、化粧品その他によって汚すことを防止する汚れ防止用襟カバーに関するものである。
【背景技術】
【０００２】
従来、理容、美容、エステサロン、病院等において、顧客が着用する衣服の襟等を、水、薬剤、香粧品その他によって汚すことを防止するために、タオル、手拭を使用するか、ラップ（料理用）をカットして使用する等が行われている。
【０００３】
実登第３０１０２８７号公報には、紙材からなるカバー部材の中心に首の周囲に装着する円孔部を設け、この円孔部と同心に形成した折目を介して該折目の内側に内側片を形成し、該カバー部材には前記円孔部に連続して設けた切欠部の一側端部に接着部を設けてなる汚れ防止用襟カバーが開示されている。
【０００４】
実開平６−１２４０２号公報には、ワイシャツなどの襟部の裏側に粘着材により接着し、皮膚からでる油、汗を吸い取り襟部の汚れを防止する襟汚れ防止シートが開示されている。
【特許文献１】実登第３０１０２８７号公報
【特許文献２】実開平６−１２４０２号公報
【考案の開示】
【考案が解決しようとする課題】
【０００５】
前記のように、従来、理容、美容、エステサロン、病院等において、顧客の衣服を、水、薬剤、化粧品その他によって汚さないよう配慮しながら施術されるが、特に、施術者が未熟から顧客の衣服中の襟部分を、汚してしまうトラブルが頻繁に発生している。
【０００６】
前記実登第３０１０２８７号公報の汚れ防止用襟カバーは、折目の円周径に対して内側片の下縁径が大幅に小径となり、カバー部材に柔軟性を有していても、その立体化に無理があり、衣服の襟部に適正に装着することができない欠点がある。
【０００７】
前記実開平６−１２４０２号公報の襟汚れ防止シートは、衣服の襟部の内側に粘着材により添着して首の回りからでる油、汗の付着を遮断する効果はあるが、襟部の外側は露出した状態にあるので、理容、美容の施術中に技術の未熟から誤って飛散若しくは垂れ落ちる薬液の付着を防止することはできないものである。
【０００８】
理容、美容業界では、前述のように、一般的な作業として顧客の襟を汚さないように、タオル、手拭、ラップ（料理用）等を使用して施術が行われるが、タオル等を通過した染毛剤等の薬剤が襟に付着してトラブルになる事故が発生しており、本考案は、かかるトラブルの解消と、使い勝手の良く、最小の資源で最大の汚れ効果を発揮する汚れ防止手段の開発を目的になされたものである。
【課題を解決するための手段】
【０００９】
所要の襟カバー素材を用い、所要の外形縁と横基準線と縦基準線により上下及び左右に対称の横長弧状の開口を有する内形縁とから形成される展開裁断片を裁断し、その展開裁断片を、前記横基準線を中心に二つ折りして重ね合わせ、その上縁側における横長弧状の開口を有する内形縁の内側を縫糸若しくは適宜固着手段に弧状に固着して開口を閉鎖し、全体を反対面側に裏返し、全体の形を整えてなる汚れ防止用襟カバーにある。
【００１０】
前記裁断時に、外形縁と縦基準線と交差する外形縁の中央部分に中央目印を設けてもよいものである。
【００１１】
外形縁の中央部分に設けた中央目印に対して、その内側に縫糸若しくはその他の補強手段により裂目防止ラインを設けてもよいものである。
【００１２】
展開裁断片の外形縁を外形ジグザグ縁としてもよいものである。
【００１３】
横長弧状の開口を有する内形縁を内形ジグザグ縁としてもよいものである。
【考案の効果】
【００１４】
本考案の汚れ防止用襟カバーにより、低コストで、簡易・完全に顧客の衣服（襟）は、汚れを回避させることが可能となったのである。
【考案を実施するための最良の形態】
【００１５】
撥水・防水コーティング生地を用い、横基準線と、縦基準線により上下及び左右に対称の略楕円形の外形縁と、同じく横基準線と、縦基準線により横長弧状の開口を有する内形縁とから形成される展開裁断片を裁断し、その展開裁断片を、前記横基準線を中心に、その上下を二つ折りして重ね合わせ、その上縁側における横長弧状の開口を有する内形縁の内側を縫糸に弧状に固着して開口を閉鎖し、全体を反対面側に裏返し、全体の形を整えて構成してなる汚れ防止用襟カバー。
【実施例】
【００１６】
以下、本考案の汚れ防止用襟カバーの第１実施例１を図１〜図３に示す図面により説明すると、襟カバー素材（図示しない）は、撥水・防水コーティング生地を用い、図２に示すように、Ｘ１−Ｘ２の横基準線Ｘと、Ｙ１−Ｙ２の縦基準線Ｙにより上下及び左右に対称の略楕円形の外形縁２ａと同じく、Ｘ１−Ｘ２の横基準線Ｘと、Ｙ１−Ｙ２の縦基準線Ｙにより横長弧状の開口３を有する内形縁２ｂとから形成される展開裁断片２を、前記襟カバー素材から、例えば、打抜型（図示しない）により数十枚を打抜き裁断する。
【００１７】
前記打抜き裁断時に、外形縁縦基準線Ｙと交差する外形縁２ａの中央部分に溝形の中央目印２ａ１、２ａ２を設けてもよいものである。前記溝形の中央目印２ａ１、２ａ２は、図示のＶ字形状の溝形に限定するものではないから、切り込み以外にも印刷表示であってもよいものである。
【００１８】
次に、その展開裁断片２の一枚を取出し、横基準線Ｘを中心に上下を図３に示すように、二つ折りして重ね合わせ、その上縁側における横長弧状の開口３を有する内形縁２ｂの内側を縫糸４により縫製し、開口３を閉鎖する。そして全体を反対面側に裏返し、例えば、アイロンを掛けて形を整え、図１に示すように、構成する。こうして、完成した本考案の汚れ防止用襟カバーの第１実施例１の上縁５は、前記開口３を閉鎖した二つ折り弧状上縁５ａと、二つ折り左上縁５ｂ１と二つ折り右上縁５ｂ２により構成される。また、その下縁６ａ、６ｂは、展開裁断片２の外形縁２ａにより構成される。
【００１９】
前記本考案の汚れ防止用襟カバーの第１実施例１の外形縁２ａの中央部分に設けた溝形の中央目印２ａ１、２ａ２に対して内側に縫糸７による裂目防止ライン８ａ、８ｂを二つ折りする前に設けて第２実施例９としもよいものである。
【００２０】
図６示すように、第１実施例１の展開裁断片２の略楕円形の外形縁２ａを外形ジグザグ縁２ａ３とし、同じく横長弧状の開口３を有する内形縁２ｂを内形ジグザグ縁２ｂ１とし、この展開裁断片２を二つ折りして図７に示すように、ジグザグのほつれ止とする下縁６ａ１、下縁６ｂ１とした汚れ防止用襟カバーの第３実施例１０を構成してよいものである。
【００２１】
前記襟カバー素材は、撥水・防水コーティング生地に限定するものではなく、その機能を発揮するものであれば合成樹脂シート、不織布等その素材を限定するものではなく、構造においても、表面層を吸湿性とし、内部層を防水性（撥水性も含む）とする二層シートを用いてもよいものである。
【００２２】
二つ折り展開裁断片２における内形縁２ｂの開口３を閉鎖する手段は、前記縫製手段に限定されるものではなく、接着剤による接着、素材の特性により超音波接着、電磁誘導接着等によってもよいものである。
【００２３】
図１に示すように、二つ折り左上縁５ｂ１と二つ折り右上縁５ｂ２は、折目により直線になっているから、顧客の衣服の襟部１１にセット後、下側へ向いて襟部１１が浮き上がるのを防止して、収まりをよくしている。
【００２４】
二つ折り弧状上縁５ａは、縫製等に閉鎖されているので、折目部分が固定されて、中央部分の確認が容易であり、顧客の衣服の襟部１１に被せてセットを容易にしている。
【００２５】
第１、２、３実施例では、正面側カバー部分と背面側カバー部分が同じ大きさに構成されているが、必要に応じて、いずれかの一方を大きく、又は両方を大きく、更に外形を機能とデザインからジグザグ形状だけてなく、種々変化させてもよいものである。
【００２６】
本考案の汚れ防止用襟カバーは、上縁の主要部分の弧状カット及び横幅は、一般的な所謂標準型であり、外形はこの実施例に限定されるものではなく、多様である。
【００２７】
理容、美容技術に使用する布片類は、一客毎にこれを交換して洗濯・消毒する義務が課せられている関係からそれらの洗濯・消毒に耐える物でなければならない。
【００２８】
また、本考案の汚れ防止用襟カバーは、上縁の主要部分が弧状にカットされているので、衣服の襟部に被せたときに同形に湾曲し、形状において馴染み、しわの発生がなく、生地においてコーティング又は素材による凹凸等の違和感等を軽減することができる。
【００２９】
また、本考案の汚れ防止用襟カバーは、中央部分に中央目印を入れているので、中央部分の確認が容易で左右にずれることなく衣服の襟部に正しく装着することができる。
【００３０】
また、本考案の汚れ防止用襟カバーは、上縁の主要部分の弧状カットは、首の太い人には、弧状半径を大きく、首の細い人には、弧状半径を小さくするとそれぞれ被施術者の衣服の襟部にも、首にもよく馴染み、汚れ防止用襟カバーの横幅についても、首の太い人には、長いサイズに、首の細い人には、短いサイズに構成することによりそれぞれ適合させることができる。
【産業上の利用可能性】
【００３１】
施術前に本考案の撥水・防水素材の汚れ防止用襟カバーを簡易に装着し、顧客の衣服（襟）の汚れを完全に回避させることが可能となったのである。
【００３２】
本考案の汚れ防止用襟カバーは、耐久性の有る素材を採用することにより繰り返して使用することができ、経費コストを節減できる。万が一に備えて事業保険に加入しているが、事故処理のための保険料の負担増を避けることができ、理容・美容及びその他の関連業界に朗報を奏するものである。  
【図面の簡単な説明】
【００３３】
【図１】本考案の汚れ防止用襟カバーの第１実施例の正面斜視図である。
【図２】同じく、本考案の汚れ防止用襟カバーの第１実施例の展開裁断状態を示す平面図である。
【図３】同じく、本考案の汚れ防止用襟カバーの第１実施例の展開裁断状態から長手方向を上下に二つ折りして上縁側の開口する弧状縁の内側を縫製閉鎖した状態を示す内面正面図である。
【図４】同じく、本考案の汚れ防止用襟カバーの第１実施例を被施術者の衣服の襟部に装着した状態を示す説明斜視図である。
【図５】本考案の汚れ防止用襟カバーの第１実施例の展開裁断状態において、中央部から左右に所要長さ補強縫製ラインを外形縁に設けた本考案の汚れ防止用襟カバーの第２実施例を示す展開平面図である。
【図６】本考案の汚れ防止用襟カバーの第１実施例の展開裁断状態において、その外形縁と内形縁をジグザグに形成した本考案の汚れ防止用襟カバーの第３実施例を示す平面図である。
【図７】同じく、本考案の汚れ防止用襟カバーの第３実施例の正面斜視図である。
【符号の説明】
【００３４】
１  汚れ防止用襟カバーの第１実施例
２  展開裁断片
２ａ  外形縁
２ａ１  中央目印
２ａ２  中央目印
２ａ３  外形ジグザグ縁
２ｂ  内形縁
２ｂ１  内形ジグザグ縁
３  開口
４  縫糸
５  上縁
５ａ  二つ折り弧状上縁
５ｂ１  二つ折り左上縁
５ｂ２  二つ折り右上縁
６ａ  下縁
６ａ１  下縁
６ｂ  下縁
６ｂ２  下縁
７  縫糸
８ａ  裂目防止ライン
８ｂ  裂目防止ライン
９  汚れ防止用襟カバーの第２実施例
１０  汚れ防止用襟カバーの第３実施例
１１  襟部
Ｘ  横基準線
Ｙ  縦基準線
【図１】
0003118241.tif 000003
【図２】
0003118241.tif 000004
【図３】
0003118241.tif 000005
【図４】
0003118241.tif 000006
【図５】
0003118241.tif 000007
【図６】
0003118241.tif 000008
【図７】
0003118241.tif 000009